(57)【要約】【課題】カメラ本体内へ外気中の塵埃が侵入することなく、撮像素子やＩＣ等の発熱部品が実装された駆動回路基板の冷却を小型のファンを用いて効率よく行うことができる電子カメラを提供する。【解決手段】ＴＧ素子３４、ＡＦＥ素子３５等の発熱部品を含む撮像ユニット２５と放熱孔５４から一部を外気に露出させて配設した放熱部材５５との間に空気循環路５９を形成するように送風ダクト５７を配設し、ファン５８によって空気循環路５９内に空気を循環させることで、発熱源の熱を放熱部材５５に伝達し、さらに放熱部材５５から放熱孔５４を介して外気に放熱させるので、撮像ユニット２５に含まれる発熱源の冷却を小型のファン５８を用いて効率よく行うことができ、この際、放熱孔５４は放熱部材５５で閉塞されているので、カメラ本体１０内への外気中の塵埃の侵入を防止することもできる。【選択図】        図３
2009071722.tif 000002
【特許請求の範囲】
【請求項１】
撮影レンズの光軸上に該光軸と直交するように配設されて前記撮影レンズによる被写体像が結像される撮像素子と、該撮像素子の背面に固着された支持板と、前記撮像素子に対する撮像制御用素子を搭載して前記支持板の背面側に近接配設された駆動回路基板とを有する撮像ユニットと、
前記撮影レンズを搭載し前記撮像ユニットを内蔵するとともに、一部に放熱孔を有するカメラ本体と、
前記放熱孔の筐体内側に配設され前記放熱孔から一部を外気に露出させた放熱部材と、
前記撮像ユニットと前記放熱部材との間に配設され、前記撮像ユニットと前記放熱部材との間で空気を循環させる空気循環路を形成する送風ダクトと、
該送風ダクトの内部に配設され前記空気循環路内に空気を循環させるファンと、
を備えたことを特徴とする電子カメラ。
【請求項２】
前記支持板および前記駆動回路基板は、略長方形をしており、向かい合った二辺付近にそれぞれスペーサを挟んで平行に配設され、前記支持板と前記駆動回路基板と前記スペーサとにより筒状の空気の流路を形成したことを特徴とする請求項１に記載の電子カメラ。
【請求項３】
前記支持板および前記スペーサは、放熱材からなることを特徴とする請求項２に記載の電子カメラ。
【請求項４】
前記放熱部材に熱的に結合されて前記空気循環路内に配設され、前記送風ダクト内を流れる温まった空気の熱を吸収する吸熱部材を備えたことを特徴とする請求項１〜３のいずれか一つに記載の電子カメラ。
【請求項５】
前記吸熱部材は、複数のフィン形状を有することを特徴とする請求項４に記載の電子カメラ。
【請求項６】
前記撮像ユニットと前記送風ダクトとの連結部に、食い合わせ構造のフード部材を設けたことを特徴とする請求項１〜５のいずれか一つに記載の電子カメラ。
【請求項７】
前記撮像ユニットと前記送風ダクトとの間を、弾性部材により連結したことを特徴とする請求項１〜５のいずれか一つに記載の電子カメラ。
【請求項８】
前記スペーサは、断熱材からなり、前記流路を前記支持板側と前記駆動回路基板側とに分割する隔壁を有することを特徴とする請求項２に記載の電子カメラ。
【発明の詳細な説明】
【技術分野】
【０００１】
本発明は、撮影レンズによる被写体像を撮像素子に結像させて撮像するコンパクト型デジタルカメラ、レンズ交換可能な一眼レフレックス型デジタルカメラ等の電子カメラに関するものである。
【背景技術】
【０００２】
ＣＣＤ等の撮像素子を備えるデジタルカメラ等の電子カメラは、撮影レンズの透過光束を撮像素子で受光し、その光電変換出力に基づいて画像データを得る。撮像素子は、この撮像素子を駆動するためのタイミングジェネレータ素子や、撮像素子が取得した画像データについてサンプリング処理、Ａ／Ｄ変換処理、ＡＧＣ処理等を行うＡＦＥ（Analog Front End）素子などの撮像制御用ＩＣを搭載した駆動回路基板によって撮像動作が制御される。この際、駆動回路基板は、撮像素子に対して離れた位置に配設すると、電気的なノイズの影響を受けやすいため、撮像素子に対して近接させて配設することが望まれる。
【０００３】
一方、駆動回路基板に搭載されたタイミングジェネレータ素子やＡＦＥ素子などのＩＣは、その連続的な動作に伴い発熱する発熱源となり、周囲温度を上昇させる。特に、近年では、撮像素子の画素数の増大に伴って動作クロックが上昇し、駆動回路基板における発熱量が増大する傾向にある。よって、撮像素子は、このような駆動回路基板が近接配設されていると、駆動回路基板を発熱源とする熱ノイズの影響を受けて画質の低下を生ずるため、駆動回路基板を冷却する対策が必要となる。
【０００４】
ここで、カメラ本体の一部に吸気口と排気口を設けるとともに、電動ファンとサーモモジュールを有する放熱手段を設け、放熱手段により吸気口からカメラ本体内に空気を吸入するとともに空冷化した空気を排気口より注入させてカメラ本体内を冷却するようにしたものがある（例えば、特許文献１参照）。
【０００５】
また、密閉カメラ本体内部に内部空気を攪拌するファンを設け、カメラ本体内部の局部発熱部を冷却するとともに、その熱をカメラ本体へ熱伝達して放熱させるようにしたものもある（例えば、特許文献２参照）。
【０００６】
【特許文献１】特開平４−３３１５７９号公報
【特許文献２】実開平６−７０３７３号公報
【発明の開示】
【発明が解決しようとする課題】
【０００７】
しかしながら、特許文献１に示される放熱対策では、吸気口や排気口から外気中の塵埃がカメラ本体内に侵入してしまう不具合がある。
【０００８】
この点、特許文献２に示される放熱対策によれば、密閉カメラ本体を用いており、外気中の塵埃がカメラ本体内に侵入することはない。しかしながら、局部発熱部による発熱に対して筐体内全体の空気を攪拌し循環させているため、大型のファンが必要となり、機器が大型化したり消費電流が増大してしまう不具合がある。特に、筐体内部に部品が高密度で配置されている最近の電子カメラでは、筐体内部の空気を十分に攪拌して循環させることは困難である。また、カメラ本体を通じて外気に放熱させるようにしているが、一般にカメラ本体は樹脂製であり、外気に対する放熱効率の悪いものである。
【０００９】
本発明は、上記に鑑みてなされたものであって、カメラ本体内へ外気中の塵埃が侵入することなく、撮像素子やＩＣ等の発熱部品が実装された駆動回路基板の冷却を小型のファンを用いて効率よく行うことができる電子カメラを提供することを目的とする。
【課題を解決するための手段】
【００１０】
上述した課題を解決し、目的を達成するために、本発明にかかる電子カメラは、撮影レンズの光軸上に該光軸と直交するように配設されて前記撮影レンズによる被写体像が結像される撮像素子と、該撮像素子の背面に固着された支持板と、前記撮像素子に対する撮像制御用素子を搭載して前記支持板の背面側に近接配設された駆動回路基板とを有する撮像ユニットと、前記撮影レンズを搭載し前記撮像ユニットを内蔵するとともに、一部に放熱孔を有するカメラ本体と、前記放熱孔の筐体内側に配設され前記放熱孔から一部を外気に露出させた放熱部材と、前記撮像ユニットと前記放熱部材との間に配設され、前記撮像ユニットと前記放熱部材との間で空気を循環させる空気循環路を形成する送風ダクトと、該送風ダクトの内部に配設され前記空気循環路内に空気を循環させるファンと、を備えたことを特徴とする。
【００１１】
また、本発明にかかる電子カメラは、上記発明において、前記支持板および前記駆動回路基板は、略長方形をしており、向かい合った二辺付近にそれぞれスペーサを挟んで平行に配設され、前記支持板と前記駆動回路基板と前記スペーサとにより筒状の空気の流路を形成したことを特徴とする。
【００１２】
また、本発明にかかる電子カメラは、上記発明において、前記支持板および前記スペーサは、放熱材からなることを特徴とする。
【００１３】
また、本発明にかかる電子カメラは、上記発明において、前記放熱部材に熱的に結合されて前記空気循環路内に配設され、前記送風ダクト内を流れる温まった空気の熱を吸収する吸熱部材を備えたことを特徴とする。
【００１４】
また、本発明にかかる電子カメラは、上記発明において、前記吸熱部材は、複数のフィン形状を有することを特徴とする。
【００１５】
また、本発明にかかる電子カメラは、上記発明において、前記撮像ユニットと前記送風ダクトとの連結部に、食い合わせ構造のフード部材を設けたことを特徴とする。
【００１６】
また、本発明にかかる電子カメラは、上記発明において、前記撮像ユニットと前記送風ダクトとの間を、弾性部材により連結したことを特徴とする。
【００１７】
また、本発明にかかる電子カメラは、上記発明において、前記スペーサは、断熱材からなり、前記流路を前記支持板側と前記駆動回路基板側とに分割する隔壁を有することを特徴とする。
【発明の効果】
【００１８】
本発明にかかる電子カメラは、発熱源を含む撮像ユニットと放熱孔から一部を外気に露出させて配設した放熱部材との間に空気循環路を形成するように送風ダクトを配設し、ファンによって空気循環路内に空気を循環させることで、発熱源の熱を放熱部材に伝達し、さらに放熱部材から放熱孔を介して外気に放熱させるので、撮像ユニットに含まれる発熱源の冷却を小型のファンを用いて効率よく行うことができ、この際、放熱孔は放熱部材で閉塞されているので、カメラ本体内への外気中の塵埃の侵入を防止することもできるという効果を奏する。
【発明を実施するための最良の形態】
【００１９】
以下、本発明にかかる電子カメラを実施するための最良の形態を、図面を参照して説明する。本実施の形態の電子カメラは、一例としてレンズ交換可能な一眼レフレックス式デジタルカメラへの適用例として説明する。
【００２０】
（実施の形態１）
図１は、本実施の形態１の一眼レフレックス式デジタルカメラの内部構造の概略を示すレンズ光軸上での縦断側面図であり、図２は、カメラ本体の内部構造の概略を示す中央縦断正面図であり、図３は、カメラ本体の内部構造の概略を示す撮像ユニット中央で断面した縦断正面図であり、図４は、カメラ本体の内部構造の概略を示す図３中のＡ−Ａ線断面図であり、図５は、カメラ本体の内部構造の概略を示す撮像ユニット中央で断面した水平断面図であり、図６は、カメラ本体の底面図であり、図７は、撮像ユニット部分の分解斜視図である。
【００２１】
本実施の形態１の一眼レフレックス式デジタルカメラは、カメラ本体１０と、このカメラ本体１０の前面側に交換可能に装填されることにより搭載される撮影レンズ１１とにより構成される。カメラの外観形状を構成する樹脂製のカメラ本体１０は、撮影レンズ１１の光軸上となる前面側位置に撮影レンズ１１を含むレンズユニット１２を交換自在に装填するためのリング状のマウント部１３を備える。また、カメラ本体１０は、前面側から見て左側に撮影時等において操作者の右手により保持されるグリップ部１４を有する。このグリップ部１４の頂部には、レリーズボタン等の各種スイッチ、ボタン類を備える。
【００２２】
カメラ本体１０は、図１や図５に示すように、背面側において光軸上の位置にモニタ表示窓１６を有する液晶モニタ１７を備える。この液晶モニタ１７は、撮影された画像の他、各種設定・調整事項等の各種情報を表示するＴＦＴ（Thin Film Transistor）タイプの矩形状表示パネルである。また、カメラ本体１０内には、撮影時に操作者が覗くファインダ窓１８が設けられ、頂部には、外付けのフラッシュを取り付けるホットシュー１９を備える。
【００２３】
また、カメラ本体１０は、図１に示すように、前面側において光軸上に配設させたクイックリターンミラー２０等のミラー部材を内蔵し、その下方にデフォーカス量を検出するＡＦセンサユニット２１等を収納したミラーボックス２２を備える。また、カメラ本体１０内には、クイックリターンミラー２０よりも奥側に向けて、フォーカルプレーンシャッタ２３と、撮像素子２４等を含む撮像ユニット２５とが、光軸上で光軸に直交させて順に配設されている。また、カメラ本体１０内において、クイックリターンミラー２０の光軸上の背後にはサブミラー２０ａが配設され、サブミラー２０ａからの反射光をＡＦセンサユニット２１に導くように光路設定されている。一方、クイックリターンミラー２０の反射側光軸上には、ダハミラー２６、接眼レンズ２７等が配設されている。
【００２４】
ここで、撮像ユニット２５は、光学ＬＰＦ（ローパスフィルタ）３０と撮像素子２４と支持板３１と駆動回路基板３２とホルダ部材３３とを備える。撮像素子２４は、撮影レンズ１１により撮像面に結像された被写体像を光電変換するもので、所定比率の横長矩形形状をなし、本実施の形態１では、例えばＣＣＤイメージセンサが用いられている。なお、撮像素子２４としては、ＣＣＤイメージセンサに限らず、ＣＭＯＳイメージセンサ等であってもよい。また、支持板３１は、撮像素子２４を固定、位置決めするためのもので、撮像素子２４の背面に固着されて設けられている。この支持板３１は、放熱性のよい金属等の放熱材からなり、撮像素子２４よりも大きな横長の略長方形形状に形成されている。
【００２５】
また、駆動回路基板３２は、撮像素子２４に対する撮像制御用素子としてＩＣ構成のＴＧ素子（タイミングジェネレータ素子）３４や、ＡＦＥ（Analog Front End）素子３５を搭載したものであり、支持板３１の背面側に近接配設されている。ここで、ＴＧ素子３４は、撮像素子２４を駆動するための動作クロックを供給するドライブＩＣである。また、ＡＦＥ素子３５は、撮像素子２４が光電変換により取得したアナログ信号に対してサンプリング処理を施した後、Ａ／Ｄ変換処理やＡＧＣ処理を行い、撮影画像としてデジタルデータが得られるように動作制御する。このような駆動回路基板３２を撮像素子２４の直後の背面に近接配設させることにより、電気的ノイズの影響が軽減される。
【００２６】
ここで、駆動回路基板３２も、支持板３１とほぼ同等の大きさで横長の略長方形形状に形成されたもので、駆動回路基板３２と支持板３１は、向かい合った長辺側となる上下二辺付近にそれぞれ細長いスペーサ３６を挟んで平行に配設されることで、支持板３１と駆動回路基板３２とスペーサ３６とにより囲まれた矩形筒状の空気の流路３７が左右方向に向けて形成されている。これにより、放熱材で形成された支持板３１の背面やＴＧ素子３４やＡＦＥ素子３５は、流路３７に臨む状態で存在する。スペーサ３６は、弾性を有する放熱シート等の放熱材からなる。
【００２７】
ホルダ部材３３は、図示しないビスによって結合させた支持板３１を介在させた状態で、駆動回路基板３２をビス３８で固定させるためのものである。支持板３１は、例えば３箇所でミラーボックス２２等の固定部に位置調整されて組付けられる。また、撮像ユニット２５全体は、手ブレ補正に対応するために撮像素子２４を上下左右に変位させるよう、周知の撮像素子シフト方式の図示しないシフト機構によって変位可能に設けられている。
【００２８】
一方、カメラ本体１０のグリップ部１４の内部には、電池４０を収納する電池収納室４１が設けられている。電池４０は、底面の開閉蓋４２を開閉することにより電池収納室４１内への挿脱が可能とされている。また、グリップ１４の内部において、背面側には、カメラ全体の制御や画像処理、圧縮処理、データ記憶処理等を行うための回路やＳＤＲＡＭ等のメモリ、電源回路等が搭載された回路基板４３，４４が配設されている。回路基板４３，４４間および駆動回路基板３２との間は、フレキシブル基板４５，４６によって電気的に接続されている。また、グリップ部１４において、電池収納室４１と回路基板４４との間には、メモリカード４７を装填するためのメモリスロット４８が形成され、通常は、開閉自在なカバー４９で閉塞されている。また、グリップ部１４内において、電池収納室３１より前面側にはストロボ用のアルミニウム電解コンデンサ５１が内蔵されている。
【００２９】
また、カメラ本体１０の底面部の光軸下方となる中央付近には、三脚ねじ５２用の三脚取付面５３部分を除き複数個の放熱孔５４が形成されている。さらに、カメラ本体１０に対して放熱孔５４よりも筐体内側（底面部内側）に配設された放熱部材５５を備える。この放熱部材５５は、放熱性のよい金属等により板状に形成されたもので、複数の放熱孔５４の形成領域よりも大きめであって、ビス５６によって筐体内側に密着するように固定されている。これにより、放熱部材５５は、全ての放熱孔５４を閉塞するとともに、これら放熱孔５４から一部を外気に露出させた状態で設けられている。
【００３０】
さらに、カメラ本体１０内において、撮像ユニット２５と放熱部材５５との間に配設された送風ダクト５７と、送風ダクト５７内に配設されたファン５８とを備える。送風ダクト５７は、撮像ユニット２５に形成された流路３７の空気吸入口３７ａと空気排出口３７ｂと放熱部材５５の上面との間を矩形環状に連通させることで、流路３７と放熱部材５５との間で空気を循環させる空気循環路５９を形成するものである。このため、送風ダクト５７は、撮像ユニット２５と放熱部材５５との間では断面矩形状のダクト形状に形成され、放熱部材５５の上面においては放熱部材５５上面が空気循環路５９中に露出するように断面下向きコ字状に形成されている。また、送風ダクト５７は、撮像ユニット２５の直下の放熱部材５５の上面部分においては、撮像ユニット２５と同等の幅に形成されている。また、送風ダクト５７は、カメラ本体１０内に固定配置されたもので、両端の開口部５７ａ，５７ｂと、手ブレ補正のために位置変位し得る撮像ユニット２５における流路３７の空気吸入口３７ａおよび空気排出口３７ｂとの連結部には、変位量を考慮した隙間ｄが確保されている。
【００３１】
ファン５８は、空気循環路５９内に空気を循環させるためのものである。本実施の形態１のファン５８は、吸い込んだ空気を側面側に吐き出すブロアファンであり、送風ダクト５７内において空気排出口３７ｂと放熱部材５５との間であって、放熱部材５５上に位置させて設けられている。ここで、送風ダクト５７は、ファン５８が設けられた空気排出口３７ｂ側の断面積よりも、ファン５８の設けられていない空気吸入口３７ａ側の断面積の方が小さくなるように形成されている。
【００３２】
さらに、放熱部材５５上の送風ダクト５７内には、この送風ダクト５７を流れる温まった空気の熱を吸収する吸熱部材６０を備える。放熱部材６０は、その表面積を増やすために図１等に示すように空気の流れ方向に沿った複数のフィン形状を有する構造で、空気循環路５９中に配設されている。
【００３３】
このような構成において、撮像素子２４や駆動回路基板３２上のＴＧ素子３４やＡＦＥ素子３５は、カメラ本体１０内における主な発熱源となり、撮像ユニット２５で熱が発生する。ここで、ファン５８を駆動させると、送風ダクト５７により形成された空気循環路５９内を循環する空気流が発生する。すなわち、撮像ユニット２５中の流路３７の空気排出口３７ｂからファン５８を経て放熱部材５５上面を通り、空気吸入口３７ａから流路３７内に戻る空気流が発生する。これにより、撮像素子２４の熱を受けた支持板３１や、ＴＧ素子３４やＡＦＥ素子３５の発熱によって温度上昇した流路３７中の空気は、空気排出口３７ｂから放熱部材５５上面側を通るように流れ、空気の熱は放熱部材５５に伝わる。
【００３４】
ここで、放熱部材５５は、複数の放熱孔５４を介して外気に露出しており、空気循環路５９内を流れる温まった空気の熱を放熱孔５４を介して外気に放熱することで、効率よく冷却される。この際、ファン５８は、撮像ユニット２５と放熱部材５５との間に送風ダクト５７によって形成された必要最小限の空気循環路５９内を循環する空気流を発生させればよく、カメラ本体内全体の空気を攪拌する必要はなく、小型のブロアファン等でよいものとなる。また、放熱部材５５に伝わった熱は、通風ダクト５７部分に比して格段に広い放熱部材５５全体に拡散されて放熱孔５４から外気に放熱されるので、放熱能力の高いものとなる。また、カメラ本体１０に形成された放熱孔５４は、放熱部材５５によって閉塞されているので、外気中の塵埃等がカメラ本体１０内に侵入することはない。さらに、空気循環路５９内において放熱部材５５上では、フィン形状の吸熱部材６０を通るので、温まった空気の熱を吸熱部材６０で吸熱し放熱部材５５、吸気孔５４を介して外気に放熱することで、冷却効果を増大させることができる。また、このような放熱動作に際して、放熱部材５５は小さな複数の放熱孔５４を介してカメラ本体１０内に配設されており、操作者の手に触れることはない。
【００３５】
そして、空気循環路５９内において放熱部材５５上面を通過することで冷却された空気は、空気吸入口３７ａから撮像ユニット２５の流路３７中に吸入される。これにより、流路３７中に臨む支持板３１やＴＧ素子３４やＡＦＥ素子３５を冷却することができる。
【００３６】
（実施の形態２）
本発明の実施の形態２について図８〜図１０を参照して説明する。図８は、本実施の形態２のカメラ本体の内部構造の概略を示す中央縦断正面図であり、図９は、カメラ本体の内部構造の概略を示す撮像ユニット中央で断面した縦断正面図であり、図１０は、カメラ本体の内部構造の概略を示す撮像ユニット中央で断面した水平断面図である。図１〜図７に示した部分と同一部分は同一符号を用いて示し、説明も省略する。
【００３７】
本実施の形態２は、撮像ユニット２５の流路３７と送風ダクト５７との連結部の構造を改良したものである。本実施の形態２では、流路３７の空気吸入口３７ａおよび空気排気口３７ｂと送風ダクト５７の開口部５７ａ，５７ｂとの隙間ｄを持たせた連結部に、食い合わせ構造のフード部材６１ａ，６１ｂを備える。フード部材６１ａ，６１ｂは、送風ダクト５７の開口部５７ａ，５７ｂ部分の外形より一回り大きく形成されて開口部５７ａ，５７ｂ周りにオーバーラップする長さのフードを有する矩形枠構造からなり、隙間ｄ内において空気吸入口３７ａおよび空気排気口３７ｂに外向きに固定されることにより、送風ダクト５７の開口部５７ａ，５７ｂ周りとの間に食い合わせ構造を構成する。ここで、フード部材６１ａ，６１ｂは、開口部５７ａ，５７ｂ部分の外形に対して、上下方向には撮像ユニット２５の変位量を考慮し隙間ｄと同等の隙間を有するが、光軸方向には撮像ユニット２５は変位しないため干渉しない程度の僅かな隙間に設定されている。また、送風ダクト５７の両端付近には、フード部材６１ａ，６１ｂに対向するフランジ部６２ａ，６２ｂが形成されている。
【００３８】
このような構成において、撮像ユニット２５は手ブレ補正用のシフト機構によって上下左右方向に変位し得るが、固定配置の送風ダクト５７との間には上下左右方向に隙間を有するので、撮像ユニット２５のシフト動作は支障なく行われる。また、ファン５８の駆動により空気循環路５９内に空気を循環させる際、空気は空気吸入口３７ａおよび空気排気口３７ｂと送風ダクト５７の開口部５７ａ，５７ｂとの隙間部分を通るが、この隙間部分は食い合わせ構造のフード部材６１ａ，６１ｂにより覆われ外部に流れにくくしているので、隙間部分での空気の漏れを防止し、冷却効率の低下を防止することができる。フランジ部６２ａ，６２ｂは、空気を一層流れにくくするのに役立つ。
【００３９】
（実施の形態３）
本発明の実施の形態３について図１１を参照して説明する。図１１は、本実施の形態３のカメラ本体の内部構造の概略を示す撮像ユニット中央で断面した縦断正面図である。本実施の形態３は、フード部材６１ａ，６１ｂに代えて、撮像ユニット２５と送風ダクト５７との間を矩形枠形状の弾性部材６３ａ，６３ｂを介して連結したものである。弾性部材６３ａ，６３ｂは、撮像ユニット２５のシフト動作に追従して弾性的に伸縮し得るスポンジ、ウレタン等の弾性材料により形成されている。
【００４０】
このような構成において、撮像ユニット２５は手ブレ補正用のシフト機構によって上下左右方向に変位し得るが、固定配置の送風ダクト５７との間には上下左右方向に隙間を有し、介在させた弾性部材６３ａ，６３ｂは弾性的に伸縮するので、撮像ユニット２５のシフト動作は支障なく行われる。また、ファン５８の駆動により空気循環路５９内に空気を循環させる際、空気は空気吸入口３７ａおよび空気排気口３７ｂと送風ダクト５７の開口部５７ａ，５７ｂとの隙間部分を通るが、この隙間部分は弾性部材６３ａ，６３ｂにより覆われ外部に流れないので、隙間部分での空気の漏れを防止し、冷却効率の低下を防止することができる。
【００４１】
なお、弾性部材としては、弾性部材６３ａ，６３ｂに代えて、撮像ユニット２５のシフト動作に追従して弾性的に伸縮し得る蛇腹構造のものを用いてもよい。
【００４２】
（実施の形態４）
本発明の実施の形態４について図１２〜図１４を参照して説明する。図１２は、本実施の形態４のカメラ本体の内部構造の概略を示すレンズ光軸上での縦断側面図であり、図１３は、カメラ本体の内部構造の概略を示す撮像ユニット中央で断面した水平断面図であり、図１４は、撮像ユニット部分の分解斜視図である。
【００４３】
本実施の形態４は、実施の形態１の撮像ユニット２５の構成中のスペーサ３６に代えて、断熱材からなるスペーサ７０を備える構成としたものである。ここで、スペーサ７０は、スペーサ３６と同様に駆動回路基板３２と支持板３１とを平行に配設させるためにこれら駆動回路基板３２と支持板３１の向かい合った長辺側となる上下二辺付近にそれぞれ配設されるスペーサ部７０ａを有する。また、スペーサ７０は、薄く形成されて上下のスペーサ部７０ａを結ぶ隔壁７０ｂを一体に有する。隔壁７０ｂは、撮像ユニット２５が有する流路３７を、支持板３１側と駆動回路基板３２側とに２分割するためのものである。ここで、隔壁７０ｂを一体に有するスペーサ７０は、例えば、低熱伝導率の耐熱樹脂材料、例えば、ＰＰＳ（ポリフェニレンサルファイド樹脂）、ＰＡ（ポリアミド樹脂）、ＰＤＡＰ（ジアリルフタレート樹脂）等を用いて所定の形状に形成された成形品が用いられている。
【００４４】
本実施の形態４によれば、前述の実施の形態１の形態の効果に加えて、駆動回路基板３２上に搭載されたＴＧ素子３４やＡＦＥ素子３５等の発熱素子から放射される熱（輻射熱）が対向する支持板３１上の撮像素子２４側に直接的に伝達されてしまうことを隔壁７０ｂによって防止することができる。よって、撮像ユニット２５内の構造によっても、撮像素子２４の冷却効果を高めることができる。この際、隔壁７０ｂは、流路３７を、空気の流れる方向において支持板３１側と駆動回路基板３２側とに２分割するため、ファン５８による空気循環路５９中の空気の流れを阻害することはない。
【００４５】
本発明は、上述した実施の形態に限らず、本発明の趣旨を逸脱しない範囲であれば、種々の変形が可能である。例えば、前述の各実施の形態は、電子カメラとしてレンズ交換可能な一眼レフレックス式デジタルカメラへの適用例で説明したが、このようなカメラに限らず、例えばコンパクト型デジタルカメラ等であっても、同様に適用することができる。
【００４６】
また、前述の各実施の形態では、手ブレ補正にために撮像ユニット２５がシフト機構によって上下左右に変位可能な場合への適用例としたが、手ブレ補正機構を持たず、撮像ユニット２５が固定的に設けられたものであってもよい。この場合、撮像ユニット２５と送風ダクト５７との間の連結は、直結により固定的としてもよく、あるいは、弾性部材６３ａ，６３ｂのような弾性部材を介在させて固定的としてもよい。
【図面の簡単な説明】
【００４７】
【図１】本発明の実施の形態１の一眼レフレックス式デジタルカメラの内部構造の概略を示すレンズ光軸上での縦断側面図である。
【図２】カメラ本体の内部構造の概略を示す中央縦断正面図である。
【図３】カメラ本体の内部構造の概略を示す撮像ユニット中央で断面した縦断正面図である。
【図４】カメラ本体の内部構造の概略を示す図３中のＡ−Ａ線断面図である。
【図５】カメラ本体の内部構造の概略を示す撮像ユニット中央で断面した水平断面図である。
【図６】カメラ本体の底面図である。
【図７】撮像ユニット部分の分解斜視図である。
【図８】本発明の実施の形態２のカメラ本体の内部構造の概略を示す中央縦断正面図である。
【図９】カメラ本体の内部構造の概略を示す撮像ユニット中央で断面した縦断正面図である。
【図１０】カメラ本体の内部構造の概略を示す撮像ユニット中央で断面した水平断面図である。
【図１１】本発明の実施の形態３のカメラ本体の内部構造の概略を示す撮像ユニット中央で断面した縦断正面図である。
【図１２】本発明の実施の形態４のカメラ本体の内部構造の概略を示すレンズ光軸上での縦断側面図である。
【図１３】カメラ本体の内部構造の概略を示す撮像ユニット中央で断面した水平断面図である。
【図１４】撮像ユニット部分の分解斜視図である。
【符号の説明】
【００４８】
１０  カメラ本体
１１  撮影レンズ
２４  撮像素子
２５  撮像ユニット
３２  駆動回路基板
３４  ＴＧ素子
３５  ＡＦＥ素子
３６  スペーサ
３７  流路
３７ａ  空気吸入口
３７ｂ  空気排気口
５４  放熱孔
５５  放熱部材
５７  送風ダクト
５８  ファン
５９  空気循環路
６０  吸熱部材
６１ａ，６１ｂ  フード部材
６３ａ，６３ｂ  弾性部材
７０  スペーサ
７０ｂ  隔壁
【図１】
2009071722.tif 000003
【図２】
2009071722.tif 000004
【図３】
2009071722.tif 000005
【図４】
2009071722.tif 000006
【図５】
2009071722.tif 000007
【図６】
2009071722.tif 000008
【図７】
2009071722.tif 000009
【図８】
2009071722.tif 000010
【図９】
2009071722.tif 000011
【図１０】
2009071722.tif 000012
【図１１】
2009071722.tif 000013
【図１２】
2009071722.tif 000014
【図１３】
2009071722.tif 000015
【図１４】
2009071722.tif 000016